(57)【要約】      （修正有）【課題】ペットの糞を容器に入れて、清潔且つスマートに使用出来る携帯用ペット糞回収容器を提供すること。【解決手段】携帯用ペット糞回収容器１は、トイレットペーパー収納容器２と、使用済トイレットペーパー収納容器３と、ベルト４と、アジャスター２ｆ、２ｆ’、４ｂ、４ｂ’と、ストッパー３ｅ、３ｅ’２ｄ、２ｄ’を備え、アジャスター２ｆ、２ｆ’、４ｂ、４ｂ’にストッパー３ｅ、３ｅ’２ｄ、２ｄ’を連結してトイレットペーパー収納容器２と、使用済トイレットペーパー収納容器３と、ベルト４を着脱自在に装着して使用することができる。’【選択図】図２
0003140332.tif 000002
【実用新案登録請求の範囲】
【請求項１】
水溶性ペーパーを収納する第１容器と、使用済みの水溶性ペーパーを収納する第２容器と、ベルトと、それらを着脱自在に連結することができる接続部を備えることを特徴とする携帯用ペット糞回収容器。
【考案の詳細な説明】
【技術分野】
【０００１】
本考案は、携帯用ペット糞回収容器に関する。
【背景技術】
【０００２】
特許文献1には手を汚すことなく動物の糞を容易に回収する事が出来るとともに連続して糞を取込む事も出来る糞回収容器と示されている。しかし、構造が複雑である為、容器の汚れを取ることが困難であり、回収した糞もビニールを使用する事でゴミ処理をしなければならないという問題があった。
【特許文献１】実用新案登録第３０７８１２４号
【考案の開示】
【考案が解決しようとする課題】
【０００３】
本考案は、ペットの糞を容器に入れて清潔且つスマートに使用出来る携帯用ペット糞回収容器を提供することを目的とする。
【課題を解決するための手段】
【０００４】
本考案に係る携帯用ペット糞回収容器は、水溶性ペーパーを収納する第１容器と、使用済みの水溶性ペーパーを収納する第２容器と、ベルトと、それらを着脱自在に連結することができる接続部を備えることを特徴とする。
【考案の効果】
【０００５】
本考案は以上の通り構成するものであり、第１容器に収納された水溶性ペーパーを使用してペットの糞を採り、第２容器の使用済水溶性ベーパーを収納する為の容器に入れて帰宅してから容易に第２容器を逆さにしてトイレに流すことが出来、ペットの糞の回収にビニールなどを使用しないので、ゴミ処理問題に悩むことが無く、糞公書、環境衛生、美化に少なからず寄与することが出来る。
【考案を実施するための最良の形態】
【０００６】
以下に、考案の内容を、図面を参照しながら詳細に説朋する。
【実施例１】
【０００７】
以下、実施例の携帯用ペット糞回収容器を図１、２、３によって説明する。図１は、本考案の携帯用ペット糞回収容器の例を示す図である。図１において、本考案の携帯用ペット糞回収容器１は、トイレットペーパー収納容器２と、使用済トイレットペーパー収納容器３と、ベルト４とを備える。
【０００８】
トイレットペーパー収納容器２は、そ の壁面の終端の両側にアジヤスター２ｆ、２ｆ’を備え、使用済トイレットペーパー収納容器３は、その蓋部分３ａの側面の縁の両側にアジャスター２ｆ、２ｆ’に対応したストッパー３ｅ、３ｅ’を備え、アジャスター２ｆ、２ｆ’とストッパー３ｅ、３ｅ’を接続することでトイレットベーパー収納容器２の下に使用済トイレットペーパー収納容器３を着脱可能に装着することができる。
【０００９】
ベルト４は、２箇所に取り付けたアジャスター４ａ、４ａ’によって伸縮自在に長さ調整が出来る。ベルト４は、トイレットペーパー収納容器２の壁面の上部の両端に取り付けられたストッパー２ｄ、２ｄ’とベルト４に取り付けられたアジャスター４ｂ、４ｂ’で着脱可能に装着することができる。
【００１０】
トイレットペーパー収納容器２は、蓋部分２ａとトイレットペーパー収納容器本体２ｂからなり、蓋部分２ａの前面に有るアジャスター２ｃと本体２ｂに有るストッパー２ｅにより自在に開閉できる。使用済トイレットペーパー収納容器３は、蓋部分３ａと使用済トイレットペーパー収納容器本体３ｂからなり、蓋部分３ａ前面に取り付けられたアジャスター３ｃと本体３ｂに取り付けられたストッパー３ｄに接続して密閉容器とする。
【００１１】
図２は、本考案の携帯用ペット糞回収容器を構成する各部材を示す図である。図２において、トイレットペーパー収納容器２は、底の無い形状の容器で使用済みトイレットペーパー収納容器３と連結することで使用済みトイレットペーパー収納容器３の蓋部分３ａがトイレットペーパー収納容器２の底の役目を果たすことになる。
【００１２】
トイレットペーパー収納容器２には、トイレットペーパーを保持するためのペーパーホルダー５が設けてあり、その壁面部６には、ペーパーホルダー５を格納することができるように厚みを持たせてある。トイレットペーパーを装着するときは、トイレットペーパー収納容器２の蓋部分２ａを開けて上からトイレットペーパーを取り出すが、ペーパーホルダー５によってトイレットペーパーが抜け落ちることはない。
【００１３】
トイレットペーパー収納容器２の開口部の淵部分２ｇは、容易にトイレットペーパーが切断できるように先端が薄く形成されている。
【００１４】
トイレットペーパーで糞を取った後は、使用済みトイレットペーパー収納容器３の蓋部分３ａのアジャスター３ｃをストッパー３ｄから外せば、使用済みトイレットペーパー収納容器本体３ｂは、開放されて糞を包んだトイレットペーパーを回収することができ、蓋部分３ａのアジャスター３ｃをストッパー３ｄに接続すれば、密閉容器となるため臭いを気にせずに持ち歩くことができる。
【００１５】
トイレットペーパー収納容器２および使用済みトイレットペーパー収納容器３はプラスチック、又はステンレスなどの素材を使用して形成する。
【００１６】
帰宅してから使用済みトイレットペーパー収納容器３の蓋部分３ａのアジャスター３ｃをストッパー３ｄから外し、蓋部分３ａを開けて使用済みトイレットペーパー収納容器本体３ｂを逆さにし、使用済みトイレットペーパーをトイレなどに流す。
【００１７】
図３は、本考案の携帯用ペット糞回収容器のペーパーホルダーの構成を示す図である。図３において、ペーパーホルダー５は、トイレットペーパーを左右から支える本体５ａ、５ａ’を備える。本体５ａは、上に曲がった形状のスプリング５ｃ、５ｃ’をそれぞれ巻きつけた２つの支持部５ｂ、５ｂ’によって支えられ、本体５ａ’も同様の構造を有する。
【００１８】
トイレットペーパー収納容器本体２ｂの壁面部６には厚みがあり、両壁面部６の内部には、ペーパーホルダー５の本体５ａ、５ａ’を格納する穴６ａ，６ａ’が設けてある。穴６ａの両脇にはスプリング５ｃ、５ｃ’を巻きつけた支持部５ｂ、５ｂ’を格納する穴６ｂ、６ｂ’が設けられ、スプリング５ｃ、５ｃ’の先端５ｄ、５ｄ’は、その穴の先端に設けられた細い穴６ｃ、６ｃ’によって固定されるようになっている。
【００１９】
ペーパーホルダー５は、トイレットペーパー収納容器２の両壁面部６に対して、垂直に取り付けられ、トイレットペーパーを装着するときに、トイレットペーパーによってペーパーホルダー本体５ａ、５ａ’が押し下げられて穴６ａ，６ａ’に格納され、トイレットペーパーの芯にある空洞で跳ね返り、ペーパーホルダー本体５ａ、５ａ’がトイレットペーパーの芯に入って固定される。
【００２０】
トイレットペーパーは、トイレットペーパー収納容器２の下方から開口部前面に引き出せるように装着し、下方から引き出したトイレットペーパーをトイレットペーパー収納容器２の開口部の淵部分２ｇで切断して使用する。
【００２１】
トイレットペーパーを外すときに、トイレットペーパー収納容器本体２ｂの壁面の終端のアジャスター２ｆ、２ｆ’を使用済みトイレットペーパー収納容器３の蓋部分３ａの側面のストッパー３ｅ、３ｅ’から外し、トイレットペーパーおよびその芯を下方に引くと、ペーパーホルダー５がトイレットペーパー収納容器２の壁面部６の穴６ａ，６ａ’に入り、容易にトイレットペーパーを外すことができる。
【００２２】
以上詳細に説明したように、実施例１によれば、携帯用ペット糞回収容器１に、トイレットペーパー収納容器２と、使用済みトイレットペーパー収納容器３と、ベルト４と、それらを着脱自在に連結することができるアジャスター２ｆ、２ｆ’、４ｂ、４ｂ’とストッパー３ｅ、３ｅ’２ｄ、２ｄ’を設けたので、清潔かつスマートに使用できる携帯用ペット糞回収容器を提供することができた。
【００２３】
実施例1によれば、ペットの糞の回収にビニール等を使用しないので、ごみ処理問題に悩むことがなく、糞公害、環境衛生、美化に少なからず寄与することができる。
【００２４】
実施例1によれば、トイレットペーパー収納容器２および使用済みトイレットペーパー収納容器３をプラスチック、またはステンレスなどの素材で形成したので、携帯用ペット糞回収容器１は、衛生的で長期使用に耐えられる。また、軽量で汚れを拭きやすく、簡単に洗うことができるため、いつも清潔な状態で使用することができる。
【００２５】
尚、携帯用ペット糞回収容器１は、室内において使用することもできる。
【００２６】
尚、携帯用ペット糞回収容器１の外装を布で作成するようにしてもよい。
【００２７】
尚、トイレットペーパーの代わりに水溶性ティシュペーパーを使い、トイレットペーパー収納容器２の代わりに水溶性ティシュペーパーを収納する容器を取り付けるようにしてもよい。
【００２８】
尚、携帯用ペット糞回収容器１は、実施例1の形状にこだわることなく、円形、楕円形など他の形状であっても本考案の目的は達成できる。
【００２９】
尚、携帯用ペット糞回収容器１では、アジャスター２ｆ、２ｆ’とストッパー３ｅ、３ｅ’を接続することでトイレットベーパー収納容器２と使用済トイレットペーパー収納容器３を装着しているが、ベルト４に新たにアジャスターを２つ設け、ベルト４に取り付けられたアジャスター４ｂ、４ｂ’を使用済トイレットペーパー収納容器３に取り付けられたストッパー３ｅ、３ｅ’に接続し、ベルト４に新たに設けたアジャスターをトイレットペーパー収納容器２に取り付けられたストッパー２ｄ、２ｄ’に接続し、ベルト４によってトイレットベーパー収納容器２と使用済トイレットペーパー収納容器３を着脱可能に装着させるようにしてもよい。
【００３０】
尚、携帯用ペット糞回収容器１では、トイレットペーパー収納容器２の下に使用済トイレットペーパー収納容器３を装着しているが、使用済トイレットペーパー収納容器３の壁面の終端の両側に新たにアジヤスターを設け、使用済トイレットペーパー収納容器３の下にトイレットペーパー収納容器２を装着するようにしてもよい。
【図面の簡単な説明】
【００３１】
【図１】本考案の携帯用ペット糞回収容器の例を示す図である。
【図２】本考案の携帯用ペット糞回収容器を構成する各部材を示す図である。
【図３】本考案の携帯用ペット糞回収容器のペーパーホルダーの構成を示す図である。
【符号の説明】
【００３２】
１      携帯用ペット糞回収容器
２      トイレットペーパー収納容器
２ａ      蓋部分
２ｂ      トイレットペーパー収納容器本体
２ｃ      アジャスター
２ｄ、２ｄ’      ストッパー
２ｅ      ストッパー
２ｆ、２ｆ’      アジヤスター
２ｇ      淵部分
３      使用済トイレットペーパー収納容器
３ａ      蓋部分
３ｂ      使用済トイレットペーパー収納容器本体
３ｃ      アジャスター
３ｄ      ストッパー
３ｅ、３ｅ’      ストッパー
４      ベルト
４ａ、４ａ’、４ｂ、４ｂ’      アジャスター
５      ペーパーホルダー
５ａ、５ａ’      本体
５ｂ、５ｂ’      支持部
５ｃ、５ｃ’      スプリング
５ｄ、５ｄ’      スプリングの先端
６      壁面
６ａ、６ａ’、６ｂ、６ｂ’      穴
６ｃ、６ｃ’      細い穴
【図１】
0003140332.tif 000003
【図２】
0003140332.tif 000004
【図３】
0003140332.tif 000005